(57)【要約】  パケット監視部１０１ｆは、ＯＮＴ装置２００ａｉから送信されるパケットを監視するものであり、信号断検出部１０１ｆ１を含む。節電モードフラグ生成部１０１ｅは、ＭＡＣ部１０２からリセット信号が入力されると節電モードフラグをアクティブ（非省電力モード、電源投入）にする。また、節電モードフラグ生成部１０１ｅは、パケット監視部１０１ｆの信号断検出部１０１ｆ１によって得られた信号断検出信号によって節電モードフラグをスリープ（省電力モード、電源切断）にする。また、節電モードフラグ生成部１０１ｅは、パケットのデータ通信領域ではパケット状態によって節電モードフラグをアクティブ、スリープの変更を行うが、レンジング領域時は常にアクティブとする。パケットのデータ通信領域又はレンジング領域の識別は、パターン識別部１０１ｇによって行われる。
2010146665.tif 000002
【特許請求の範囲】
【請求項１】
複数の加入者側光通信装置に接続され、双方向の通信を行う光通信システムにおける事業者側の光通信装置において、
前記加入者側光通信装置から送信されるパケットの有無を監視するパケット監視部と、
前記パケット監視部によって監視される前記パケットの有無に基づき自装置の節電モードフラグを生成する節電モードフラグ生成部と、
前記節電モードフラグ生成部によって生成された前記節電モードフラグに基づき自装置の節電制御を行う節電制御部と
を備えたことを特徴とする光通信装置。
【請求項２】
前記加入者側光通信装置から送出されるパケットを遅延測定パケットと前記遅延測定パケット以外のパケットとに識別するパケット識別部を備え、
前記節電モードフラグ生成部は、前記パケット識別部によって前記加入者側光通信装置から送出されるパケットが遅延測定パケットであると識別された場合、前記節電制御部が節電制御を行わない節電モードフラグを生成することを特徴とする請求項１記載の光通信装置。
【請求項３】
前記パケット監視部は、監視するパケットの振幅に応じてパケットの有無を判定し、前記パケットが無しと判定する場合、前記節電モードフラグ生成部に対して信号断検出信号を出力する信号断検出部を含むことを特徴とする請求項１記載の光通信装置。
【請求項４】
前記信号断検出部は、前記監視するパケットの振幅のピーク及びボトムを検出する検出部と、前記監視するパケットの信号を識別する閾値を格納する閾値格納部と含み、前記振幅のピークが前記閾値を下回る場合、前記パケットが無しと判定して前記節電モードフラグ生成部に対して前記信号断検出信号を出力することを特徴とする請求項３記載の光通信装置。
【請求項５】
前記節電モードフラグ生成部は、前記パケット監視部によって出力される前記信号断検出信号、及び、外部より入力される前記パケットを受信する自装置の受信部を初期化する初期化信号に基づき前記節電モードフラグを生成することを特徴とする請求項１記載の光通信装置。
【請求項６】
前記加入者側光通信装置から送信されるパケットの受光電力に対応する電流信号を検出する光強度検出部を備え、
前記節電モードフラグ生成部は、前記パケット監視部によって出力される前記信号断検出信号、及び、前記光強度検出部によって検出された前記電流信号に基づいて前記節電モードフラグを生成することを特徴とする請求項１記載の光通信装置。
【請求項７】
複数の加入者側光通信装置に接続され、双方向の通信を行う光通信システムにおける事業者側の光通信装置における節電制御方法において、
前記加入者側光通信装置から送信されるパケットの有無を監視するパケット監視ステップと、
前記パケット監視ステップによって監視される前記パケットの有無に基づき自装置の節電モードフラグを生成する節電モードフラグ生成ステップと、
前記節電モードフラグ生成ステップによって生成された前記節電モードフラグに基づき自装置の節電制御を行う節電制御ステップと
を含むことを特徴とする節電制御方法。
【請求項８】
前記加入者側光通信装置から送出されるパケットを遅延測定パケットと前記遅延測定パケット以外のパケットとに識別するパケット識別ステップを含み、
前記節電モードフラグ生成ステップは、前記パケット識別ステップによって前記加入者側光通信装置から送出されるパケットが遅延測定パケットであると識別された場合、前記節電制御ステップが節電制御を行わない節電モードフラグを生成することを特徴とする請求項７記載の節電制御方法。
【請求項９】
前記パケット監視ステップは、監視するパケットの振幅に応じてパケットの有無を判定し、前記パケットが無しと判定する場合、前記節電モードフラグ生成ステップに対して信号断検出信号を出力する信号断検出ステップを含むことを特徴とする請求項７記載の節電制御方法。
【請求項１０】
前記信号断検出ステップは、前記監視するパケットの振幅のピーク及びボトムを検出する検出ステップと、前記監視するパケットの信号を識別する閾値を格納する閾値格納ステップと含み、前記振幅のピークが前記閾値を下回る場合、前記パケットが無しと判定して前記節電モードフラグ生成ステップに対して前記信号断検出信号を出力することを特徴とする請求項９記載の節電制御方法。
【請求項１１】
前記節電モードフラグ生成ステップは、前記パケット監視ステップによって出力される前記信号断検出信号、及び、外部より入力される前記パケットを受信する自装置の受信部を初期化する初期化信号に基づき前記節電モードフラグを生成することを特徴とする請求項７記載の節電制御方法。
【請求項１２】
前記加入者側光通信装置から送信されるパケットの受光電力に対応する電流信号を検出する光強度検出ステップを含み、
前記節電モードフラグ生成ステップは、前記パケット監視ステップによって出力される前記信号断検出信号、及び、前記光強度検出ステップによって検出された前記電流信号に基づいて前記節電モードフラグを生成することを特徴とする請求項７記載の節電制御方法。
【発明の詳細な説明】
【技術分野】
【０００１】
開示の技術は、光通信装置及び光通信装置の節電制御方法に関する。
【背景技術】
【０００２】
光通信によるコンピュータ通信において、通信事業者（キャリア）の終端装置であるＯＬＴ（Optical  Line  Terminal）装置とエンドユーザ（通信事業加入者）の終端装置であるＯＮＴ（Optical  Network  Terminal、ＯＮＵ（Optical  Network  Unit）とも言う）装置を含む光ファイバ網の途中に一つの入力光を多数の出力に対して分岐させるスターカプラと呼ばれる分岐装置を挿入し、ＯＬＴからの一本の光ファイバを分岐させて複数のＯＮＴに接続するＰＯＮ（Passive  Optical  Network）と呼ばれる通信システムがある。ＰＯＮは、ＰＤＳ（Passive  Double  Star）とも呼ばれる。【０００３】
終端装置を含む通信システムの従来技術として、例えば受信したパケットのヘッダ部分によって他の通信装置からの通信でなく自装置の電源のオン、オフの制御信号が入ったパケットであることを認識し、該制御信号によって自装置が受ける制御内容を認識する通信装置が提案されている。【０００４】
また、他の従来技術として、主たる通信装置から、従たる通信装置の伝送速度に対応したパケットオーバヘッド部とフレーム同期を確立させるためのフレーム同期情報とを有するフレームパケット信号を一つのパケット信号長または一つのパケット時間長内に複数分割して配置してフレーム周期間隔で送信する通信システムが提案されている。【０００５】
この従来技術では、従たる通信装置は、一つのパケット信号長または一つのパケット時間長内に複数分割されたフレームパケット信号から自装置の伝送速度に整合したフレームパケット信号を受信してフレーム同期情報を読み取ることによってフレーム同期を確立する。
【先行技術文献】
【特許文献】
【０００６】
【特許文献１】特開平９−６４８９４号公報
【特許文献２】特開２０００−１６５３６８号公報
【発明の概要】
【発明が解決しようとする課題】
【０００７】
一般的に、終端装置としての通信装置を含む通信網において、通信装置は、通信を行わないアイドル状態であっても通信に備えて常に電源を投入しておかねばならない。特に、上記ＯＬＴ等の主たる通信装置は、上記ＯＮＴ等の複数の従たる通信装置と同期を確立して通信を行わなければならないことから、消費電力が大きい。【０００８】
従って、省エネルギーの観点から、主たる通信装置の稼働中の消費電力を如何にして抑制するかが問題であった。しかしながら、上記の従来技術は、省エネルギーという観点がないため、通信装置の消費電力を抑制することが出来なかった。【０００９】
開示の技術は、上記問題点（課題）を解消するためになされたものであって、省エネルギーの観点から、通信装置、特にＯＬＴ等の主たる通信装置の稼働中の消費電力を抑制する光通信装置及び光通信装置の節電制御方法を提供することを目的とする。
【課題を解決するための手段】
【００１０】
上述した問題を解決し、目的を達成するため、開示の技術は、複数の加入者側光通信装置に接続され、双方向の通信を行う光通信システムにおける事業者側の光通信装置において、加入者側光通信装置から送信されるパケットの有無を監視し、監視されるパケットの有無に基づき自装置の節電モードフラグを生成し、生成された節電モードフラグに基づき自装置の節電制御を行うことを要件とする。
【発明の効果】
【００１１】
開示の技術によれば、主たる終端装置と従たる終端装置との間のパケット送受信の遅延時間を計測する光通信システムの主たる終端装置において、遅延時間を計測する場合は主たる終端装置の電源を常にオンにし、遅延時間を計測する場合以外は、パケット送受信の有無に応じて主たる終端装置の電源のオン、オフを制御することが可能になる。よって、省電力化を図り、発熱量を削減し、主たる終端装置の集積度向上が可能となる。
【図面の簡単な説明】
【００１２】
【図１】図１は、ＰＯＮシステムの構成を示すブロック図である。
【図２】図２は、レンジングの処理手順を示すシーケンス図である。
【図３】図３は、ＯＮＴ装置からＯＬＴ装置への上り信号のフレーム構成及びパケット構成を説明する図である。
【図４】図４は、複数のＯＮＴ装置のうち稼働しているＯＮＴ装置が少なく、未稼働のＯＮＴ装置が多数存在する疎実装状態を示す図である。
【図５−１】図５−１は、従来の分岐数に基づくパケットの構成を示す図である。
【図５−２】図５−２は、近年の分岐数に基づくパケットの構成を示す図である。
【図６】図６は、ＯＬＴ装置の構成を示すブロック図である。
【図７】図７は、遅延測定ウィンドウ内に固定的な周期性を持つレンジング情報が含まれる概要を説明する図である。
【図８】図８は、エンドユーザが動的に増加する場合、レンジング情報が増加し、レンジング情報の周期性が変わる概要を示す図である。
【図９】図９は、エンドユーザが動的に減少する場合、レンジング情報が減少し、レンジング情報の周期性が変わる概要を示す図である。
【図１０】図１０は、静的な節電モードフラグの周期性が損なわれ、レンジング情報と節電モードフラグの状態とが不整合となる概要を示す図である。
【図１１】図１１は、ＭＡＣ部１０２から光トランシーバ部１０１へ入力されるリセット信号を用いる構成例の概要を示す図である。
【図１２】図１２は、リセット信号及びタイマー機能を有するタイマー部を用いて電源をオンオフする構成例を示す図である。
【図１３】図１３は、タイマー部が受信部の電源をオフにするタイムチャートである。
【図１４】図１４は、実施例に係るＯＬＴ装置の構成を示すブロック図である。
【図１５】図１５は、節電モードフラグ生成部の詳細構成を示す図である。
【図１６−１】図１６−１は、遅延部の回路例を示す図である。
【図１６−２】図１６−２は、遅延部の回路の各点における信号状態を示すタイムチャートである。
【図１７】図１７は、ラッチ回路部の回路例を示す図である。
【図１８】図１８は、パケット監視部を含む光トランシーバ部１０１Ａを示す図である。
【図１９】図１９は、信号断検出部の回路例を示す図である。
【図２０】図２０は、ＰＤ／ＴＩＡ部の回路例を示す図である。
【図２１】図２１は、ＬＩＭ部の回路例を示す図である。
【図２２】図２２は、出力部の回路例を示す図である。
【図２３】図２３は、節電制御部の詳細構成を示す図である。
【図２４】図２４は、応用例に係るＯＬＴ装置の構成を示すブロック図である。
【図２５】図２５は、応用例に係る光強度検出部の詳細構成を示すブロック図である。
【図２６】図２６は、実施例及び応用例に係る節電制御処理を示すタイムチャートである。
【発明を実施するための形態】
【００１３】
以下に添付図面を参照し、開示の技術の光通信装置及び光通信装置の節電制御方法に係る実施例を詳細に説明する。なお、以下の実施例は、ＰＯＮシステムを例に説明する。しかし、ＰＯＮシステムに限定されず、開示の技術的思想は、広く光通信システムに適用可能である。すなわち、以下の実施例によって開示の技術が限定されるものではない。実施例の説明に先立って、背景技術としてＰＯＮシステムの概要を説明する。
【００１４】
［ＰＯＮシステムの概要］
図１は、ＰＯＮシステムの構成を示すブロック図である。同図に示すように、ＰＯＮシステムＳは、通信事業者の終端装置である一台のＯＬＴ装置１００と、ユーザの終端装置である複数のＯＮＴ装置２００ａｉ（ｉ＝１、２、・・・、ｎ）とがスターカプラＳＣを介して双方向通信を行うように接続されている。ＯＬＴ装置１００は、スターカプラＳＣを介してＯＮＴ装置２００ａｉへ、下り信号としてλ１帯の連続信号を送信する。各ＯＮＴ装置２００ａｉは、ＯＬＴ装置１００からの連続信号を受信する。
【００１５】
また、各ＯＮＴ装置ａｉは、スターカプラＳＣを介してＯＬＴ装置１００へ、上り信号としてλ２帯のバースト信号を送信する。λ２帯のバースト信号による通信は、各ＯＮＴ装置２００ａｉの設置条件により、伝送距離や伝送路の損失にバラツキがある。このため、ＯＬＴ装置１００は、各ＯＮＴ装置２００ａｉから出力されるバースト信号同士がぶつからないよう時分割多重制御を行っている。
【００１６】
なお、図１に示すように、ＯＬＴ装置１００の光トランシーバ部１０１と、ＯＮＴ装置２００ａｉの光トランシーバ部２０１Ａｉとの間で光通信を行う。光トランシーバ部１０１及び光トランシーバ部２０１Ａｉは、ＭＡＣ  ＬＳＩ（Media  Access  Control  Large  Scale  Integration）によって制御され光通信を行うモジュールである。
【００１７】
また、ＰＯＮシステムＳは、接続された複数の各ＯＮＴ装置２００ａｉまでの伝送距離が異なることから、エンドユーザ加入時に伴う回線敷設の際、ＯＬＴとＯＮＴとの間で通信するために通信の遅延測定を行っている。通信の遅延測定は、「レンジング」と呼ばれ、ＯＬＴ装置１００に一般的に搭載されているＭＡＣ  ＬＳＩによって制御される機能である。
【００１８】
［レンジング処理の概要］
図２は、レンジングの処理手順を示すシーケンス図である。先ず、ステップＳ１１で、ＯＮＴ装置２００ａｉが起動される。そして、ステップＳ１２では、ＯＮＴ装置２００ａｉは、ＯＬＴ装置１００とフレーム同期を取るために、ＯＬＴ装置１００に対してフレーム信号を送信する。
【００１９】
ステップＳ１３では、ＯＮＴ装置２００ａｉからフレーム信号を受信したＯＬＴ装置１００は、未登録のＯＮＴ装置２００ａｉに対してＯＬＴ装置１００へ登録要求の送信許可信号を送信する。ステップＳ１４では、ＯＮＴ装置２００ａｉは、ＯＬＴ装置１００に対して自装置をＯＬＴ装置１００に登録するよう登録要求を送信する。
【００２０】
ステップＳ１５では、ＯＬＴ装置１００は、ステップＳ１３でＯＮＴ装置２００ａｉへ登録要求の送信許可信号を送信してからステップＳ１４でＯＮＴ装置２００ａｉから登録要求を受信するまでの時間に基づき、ＯＬＴ装置１００及びＯＮＴ装置２００ａｉ間の距離を算出する。
【００２１】
ステップＳ１６では、ＯＬＴ装置１００は、ステップＳ１４で受信した登録要求を送信したＯＮＴ装置２００ａｉへＬＬ  ＩＤ（Logical  Link  ID）を付与する。ＬＬ  ＩＤは、ＰＯＮシステムＳ内で各ＯＮＴ装置２００ａｉを一意に識別するＩＤである。
【００２２】
ステップＳ１７では、ＯＬＴ装置１００は、ステップＳ１４で登録要求を送信してきたＯＮＴ装置２００ａｉに対してステップＳ１６で付与したＬＬ  ＩＤを含む登録通知を送信する。ステップＳ１８では、ステップＳ１７の登録通知を受信したＯＮＴ装置２００ａｉは、ＯＬＴ装置１００に対して登録通知を受信したことを示す登録通知確認を送信する。ＯＬＴ装置１００が登録通知確認を受信することによって、一連のＯＮＴ装置２００ａｉの登録処理は終了する。
【００２３】
［上り信号のフレーム構成及びパケット構成］
図３は、ＯＮＴ装置２００ａｉからＯＬＴ装置１００への上り信号のフレーム構成及びパケット構成を説明する図である。上り信号のフレームは、例えば１［ｍｓ］の伝送時間のフレーム長である。上り信号のフレームは、各エンドユーザからのパケットを送信するデータ通信領域と、レンジング時に使用されるレンジング領域とを含む。さらに、データ通信領域に含まれるパケット長６０バイトの各パケットは、オーバーヘッド部と、ペイロード部とを含む。データ通信領域に含まれるパケットは、ＰＤＳセルとも呼ばれる。
【００２４】
オーバーヘッド部はパケットの識別情報、ペイロード部はユーザデータを含む。合計７バイトのオーバーヘッド部は、図３で表記される「Ｇ」、「ＰＲ」、「ＤＬ」、「ＤＩ」を含む。「Ｇ」はガードインターバルであり、パケット同士の干渉を防ぐ目的で付加される冗長部である。「ＰＲ」はプリアンブルであり、ＯＬＴ装置１００に上りパケットの送信開始を認識させ、同期をとるタイミングを与えるための信号を含む。「ＤＬ」はデリミタであり、パケットの開始位置を示す情報である。「ＤＩ」はデータ・アイデンティフアィアであり、パケットの種別を示す識別情報である。
【００２５】
レンジング領域は、例えば１［ｕｓ］の伝送時間のフレーム長である。レンジング領域は、ＯＬＴ装置１００から遅延測定指示があった場合、ＯＮＴ２００ａｉ毎の遅延測定ウィンドウと呼ばれるＰＤＳ−ＯＡＭ（Operation  Administration  and  Maintenance）パケットを一つ含む。レンジングはこのレンジング領域で行われ、ＯＬＴ装置１００から各ＯＮＴ装置２００ａｉへ送信される登録要求送信許可信号の送信タイミングと、ＯＮＴ装置２００ａｉからのレンジング用パケットである登録要求の受信タイミングとの時間差を遅延時間として測定する。
【００２６】
［ＰＯＮシステムにおける省電力化］
ところで、ＰＯＮシステムＳにおいて、ＯＬＴ装置１００は、膨大なエンドユーザを収容することから、システム全体で消費する電力は極めて大きい。このため、ＰＯＮシステムＳを始めとする光アクセスシステムにおいて省電力化が要求されている。省電力化にあたり、システムの機能維持との両立が課題となる。
【００２７】
ＯＮＴ装置２００ａｉは、周知技術の組み合わせで省電力化が実現容易である。ＰＯＮシステムＳにおいてＯＮＴ装置２００ａｉは各々独立しており、かつ、ＯＬＴ装置１００へバースト信号を送信するため、送信時以外は回路ブロックをオフにするスリープ・モード（省電力モード）とすることにより、消費電力を抑えることが容易である。
【００２８】
これに対し、ＯＬＴ装置１００は、サービス開始当初は稼動しているＯＮＴ装置２００ａｉが少なく、受信するデータ量も少ない。この状態は、図４に示すとおり、複数のＯＮＴ装置２００ａｉのうち稼働しているＯＮＴ装置２００ａｉが少なく、未稼働のＯＮＴ装置２００ａｉが多数存在する疎実装状態という。
【００２９】
疎実装状態の場合、前述のＭＡＣ  ＬＳＩからのレンジング情報を用いて、ＯＬＴ装置１００の電源をオフにして容易に省電力化を図ることができる。しかし、図５−１に示すとおり、従来は、スターカプラＳＣによる分岐数は、１６分岐又は３２分岐が主流であった。このため、疎実装状態においてスリープ・モードが実現できたとしても、レンジング領域の遅延測定ウィンドウに対するスリープ・モードの時間の比率が小さい。すなわち、スリープ・モードの時間を確保したとしても、遅延測定ウィンドウの数が少ないため、トータルで確保できるスリープ・モードの時間が短い。このため、バースト信号を受信する際、スリープ・モードへ移行するメリットが低かった。
【００３０】
しかし、近年、ＩＴＵＴ−９８４．２  ＣｌａｓｓＣ／Ｃ＋に基づき、スターカプラＳＣによる分岐数を増やすことが可能となった。図５−２に示すように、分岐数が多ければ、レンジング領域の遅延測定ウィンドウの数が多くなり、トータルで確保できるスリープ・モードの時間が長くなる。このため、ＯＬＴ装置１００のアイドリング時の省電力化のメリットが期待されるようになってきた。
【００３１】
そこで、例えば疎実装状態でのＯＬＴ装置１００の省電力を化行う場合、疎実装状態での省電力化を実現する方法として、ＭＡＣ  ＬＳＩからのレンジング情報により得られた遅延測定ウィンドウ内のパケット送出タイミング情報の周期性を用いてＯＬＴ装置１００のアクティブ・モード（非省電力モード）及びスリープ・モードを制御する方法が考えられる。
【００３２】
［ＯＬＴ装置の構成］
図６は、ＯＬＴ装置１００の構成を示すブロック図である。ＯＬＴ装置１００は、光トランシーバ部１０１と、ＭＡＣ  ＬＳＩであるＭＡＣ部１０２とを含む。ＭＡＣ部１０２は、ＰＯＮシステムＳを制御する。ＭＡＣ部１０２は、例えば複数のＯＮＴ装置２００ａｉを認識し、ＯＬＴ装置１００との間で通信するために各ＯＮＴ装置２００ａｉとの回線敷設時にパケット送信の遅延測定を行う。
【００３３】
遅延測定は、上述したように、レンジングと呼ばれるＯＬＴ装置１００の一般的な機能により行われる。遅延測定によって、各ＯＮＴ装置２００ａｉからのパケット送出タイミング情報（以下、レンジング情報と呼ぶ場合がある）を得ることができる。パケット送出タイミング情報とは、遅延測定によって得られた周期的な遅延時間を考慮してＯＮＴ装置２００ａｉへパケットを送信するタイミングを規定する情報である。
【００３４】
光トランシーバ部１０１は、節電制御部１０１ａと、受信部１０１ｂと、パケット情報記憶部１０１ｃとを含む。パケット情報記憶部１０１ｃは、前述のパケット送出タイミング情報から周期的なパケット送信タイミング情報を取得して記憶する。そして、記憶した送出タイミング情報から周期的な節電モードフラグ（アクティブ・モード及びスリープ・モードを識別するフラグ）を生成して節電制御部１０１ａへ出力する。なお、光トランシーバ部１０１は、ＭＡＣ部１０２からＩ２Ｃ（Inter-Integrated  Circuit、ＳＦＰ仕様：１００ｋｂｐｓ）の低速なシリアル通信によりパケット送信タイミング情報を取得する。
【００３５】
節電制御部１０１ａは、パケット情報記憶部１０１ｃから入力された周期的な節電モードフラグに従い、光トランシーバ部１０１の受信部１０１ｂの電源を制御する。これにより、受信パケット及び送信パケットが無いアイドリング状態の際、受信部１０１ｂの電源をオフにし、省電力化を図ることができる。
【００３６】
なお、受信部１０１ｂは、ＰＤ（Photo  Diode）／ＴＩＡ（Trans  Impedance  amplifier）部１０１ｂ１、ＬＩＭ（LIMiter  amplifier）部１０１ｂ２、出力部１０１ｂ３を含む。ＰＤ／ＴＩＡ部１０１ｂ１は、光電変換素子ＰＤによってパケットを光信号から電気信号へ変換する。そして、ＰＤ／ＴＩＡ部１０１ｂ１は、電流電圧変換素子ＴＩＡによって電気信号を電流から電圧へ変換して増幅する。ＰＤ／ＴＩＡ部１０１ｂ１は、増幅した電圧信号をＬＩＭ部１０１ｂ２へ出力する。
【００３７】
ＬＩＭ部１０１ｂ２は、ＰＤ／ＴＩＡ部１０１ｂ１から入力された電圧信号の過入力及び増幅ノイズを除去して出力部１０１ｂ３へ出力する。出力部１０１ｂ３は、複数のＯＮＴ装置２００ａｉからのパケットが多重されたフレームからＯＮＴ装置２００ａｉ毎のパケットへと多重を解除し、例えばイーサネット（登録商標）網へ各パケットを送出する。
【００３８】
上記のようにＯＬＴ装置１００を構成した場合、図７に示す様に、遅延測定ウィンドウ内に固定的な周期性を持つレンジング情報が含まれる。このレンジング情報は、一度パケット情報記憶部１０１ｃに記憶されると変更されることはない。従って、固定的なレンジング情報に基づき固定的な周期性を持つ節電モードフラグ（Ｈ：アクティブ・モード、Ｌ：スリープ・モード）が生成される。すなわち、レンジング情報に変更がない限り、固定的な周期性を持つ静的な節電モードフラグによって受信部１０１ｂの省電力化が制御可能になる。
【００３９】
［上記構成の問題点］
しかしながら、上記ＯＬＴ装置１００の構成では、エンドユーザが動的に増減する場合、レンジング情報が増加又は減少し、レンジング情報の周期性が変わる。これに応じて、図８及び図９に示すように、節電モードフラグも周期性の変更が必要である。すなわち、ＯＮＴ装置２００ａｉが増加した場合、増加分（＃７のレンジング情報）だけ節電モードフラグが「Ｈ」となる周期を延長しなければならない。また、ＯＮＴ装置２００ａｉが減少した場合、減少分（＃５のレンジング情報）だけ節電モードフラグが「Ｈ」となる周期を短縮しなければならない。
【００４０】
しかし、レンジング情報の周期性は、固定的にパケット情報記憶部１０１ｃに記憶されているため変更されない。すなわち、図１０に示すように、静的な節電モードフラグの周期性が損なわれてしまい、レンジング情報と節電モードフラグの状態とが不整合となってしまう。一般的にＯＮＴ装置２００ａｉが追加された場合、対応するレンジング情報は先詰めされる。例えば図８によると、＃５のレンジング情報の後に＃７のレンジング情報が追加された場合、＃６のレンジング情報の領域を空けず＃５の次に＃７がセットされる。
【００４１】
上記問題を解決するため、例えば周期的なパケット送出タイミング情報を光トランシーバ部１０１内に記憶せず、ＭＡＣ部１０２からのパケット送出タイミング情報を直接使用する、すなわち、パケット毎にレンジング情報を更新することが考えられる。しかし、ＭＡＣ部１０２及び光トランシーバ部１０１の間で用いられるＩ２Ｃの通信方式は低速であるため、リアルタイムにレンジング情報の増減に追随することは不可能である。
【００４２】
また、上記問題を解決するため、図１１に示すような、パケットが入力する直前に光トランシーバ部１０１のＡＴＣ（Auto  Threshold  Control）の初期化等を目的としてＭＡＣ部１０２から光トランシーバ部１０１へ入力されるリセット信号を用いることが考えられる。例えば図１２に示すように、リセット信号及びタイマー機能を有するタイマー部１０１ｄを用いて電源をオンオフする構成が考えられる。
【００４３】
しかし、上述したように、フレームは図３に示すようなデータ領域とレンジング領域に分かれている。データ通信領域はリセット直後にデータパケットが入力されるため、リセットがないときは受信部１０１ｂを電源オフにしても問題ない。しかし、レンジング領域では、いかなるタイミングでレンジング用パケットが送出されるか不明であるため、常に受信部１０１ｂを電源オンにしなければならない。図１２に示すＯＬＴ装置１００の構成では、レンジング中に電源がオフになってしまう場合があり、レンジング時のパケットを検出できない可能性がある。
【００４４】
すなわち、図１３のタイムチャートに示すように、タイマー部１０１ｄは、リセット信号の入力から所定時間を計時し、所定時間内に新たなリセット信号の入力がない場合、節電制御部１０１ａが受信部１０１ｂの電源をオフにする。前述の通り、レンジング領域ではレンジングパケットの送出タイミングが不明である。このため、図１３に示すように「＃Ｎｅｗ」のレンジングパケットが送出されたタイミングでは既に受信部１０１ｂの電源がオフにされている場合、該当レンジングパケットは検出されない可能性があるという不都合が生じる。
【００４５】
以下の実施例で開示の技術は、上記背景及び問題点を克服し、ＯＮＴ装置２００ａｉのリアルタイムなパケットの増減に追随することができ、かつ、ＰＯＮシステムＳ特有のレンジング時にも適用可能な省電力制御を可能とする。
【実施例】
【００４６】
以下に開示の技術に係る実施例を詳細に説明する。以下では、光通信システムはＰＯＮシステムＳを例にして説明する。なお、上記背景及び問題点で説明した機能ブロックと同一符号が付与されている機能ブロックの説明は省略する。【００４７】
［実施例に係るＯＬＴ装置の構成］
図１４は、実施例に係るＯＬＴ装置１００ａの構成を示すブロック図である。ＯＬＴ装置１００ａは、光トランシーバ部１０１Ａと、ＭＡＣ部１０２とを含む。光トランシーバ部１０１Ａは、節電制御部１０１ａ、受信部１０１ｂ、節電モードフラグ生成部１０１ｅ、パケット監視部１０１ｆ、パターン識別部１０１ｇを含む。【００４８】
節電制御部１０１ａは、節電モードフラグ生成部１０１ｅによって生成された節電モードフラグに基づいてＯＬＴ装置１００ａの受信部１０１ｂの節電制御を行う。節電モードフラグ生成部１０１ｅは、パケット監視部１０１ｆによって得られたパケット送信タイミング情報及びＭＡＣ部１０２から出力されるリセット信号により節電モードフラグを生成する。パケット監視部１０１ｆは、各ＯＮＴ装置２００ａｉから送信されるパケットを監視する。パターン識別部１０１ｇは、データ通信領域のパケットとレンジング領域のパケットとを識別し、節電モードフラグ生成部１０１ｅへ識別結果を出力する。【００４９】
パケット監視部１０１ｆは、ＯＮＴ装置２００ａｉから送信されるパケットを監視するものであり、図１８に示すように、信号断検出部１０１ｆ１を含む。節電モードフラグ生成部１０１ｅは、ＭＡＣ部１０２からリセット信号が入力されると節電モードフラグをアクティブ（非省電力モード、電源投入）にする。【００５０】
また、節電モードフラグ生成部１０１ｅは、パケット監視部１０１ｆの信号断検出部１０１ｆ１によって得られた信号断検出信号によって節電モードフラグをスリープ（省電力モード、電源切断）にする。【００５１】
また、節電モードフラグ生成部１０１ｅは、パケットのデータ通信領域ではパケット状態によって節電モードフラグをアクティブ、スリープの変更を行うが、レンジング領域時は常にアクティブとする。【００５２】
パケットのデータ通信領域又はレンジング領域の識別は、パターン識別部１０１ｇによって行われる。ここでは、通常通信時のパケットの先頭パターンとレンジング時のパケットの先頭パターンが異なることを利用し、あらかじめリファレンス用に図示しない所定の記憶領域格納されているパターンとパケットのパターンとを比較することより識別している。節電制御部１０１ａは、節電モードフラグに基づき受信部１０１ｂの電源をオン、オフする。【００５３】
上記機能ブロックにより、パケットの状態に応じて光トランシーバ部１０１Ａの受信部１０１ｂ（全ての回路ブロックでなく、一部の回路ブロックでもよい）の電源をオン、オフすることにより省電力化を図ることが可能となる。さらに、レンジング時は、パケット状態に関わらず受信部１０１ｂの電源を常にオンにし、正常にレンジングを行うことが可能となる。【００５４】
［実施例に係る節電モードフラグ生成部の詳細構成］
図１５は、節電モードフラグ生成部１０１ｅの詳細構成を示す図である。節電モードフラグ生成部１０１ｅは、ラッチ部１０１ｅ１、ＯＲ部１０１ｅ２、タイマー部１０１ｅ３、マスク信号生成部１０１ｅ４、遅延部１０１ｅ５を含む。【００５５】
ラッチ部１０１ｅ１は、ＭＡＣ１０２からリセット信号を入力される。リセット信号は、ＯＬＴ装置１０１ａに一般的に用いられる制御信号の一つで、光トランシーバ部１０１Ａの閾値初期化等を目的として、レンジング情報を基に各パケットの直前に生成される信号である。ラッチ部１０１ｅ１は、リセット信号を検出しラッチ（保持）を行い、遅延部１０１ｅ５から入力される信号断検出信号によってリセットされる機能を有する。ラッチ部１０１ｅ１は、リセット信号のＨ（オン）又はＬ（オフ）をＯＲ部１０１ｅ２へ出力する。【００５６】
遅延部１０１ｅ５は、パケット監視部１０１ｆから得られた信号断検出信号を所定条件が満たされるまで遅延させる。所定条件については後述する。タイマー部１０１ｅ３は、パターン識別部１０１ｇによって識別された遅延測定ウィンドウ内のデータ通信領域において第一のパケット信号を検出した検出信号の入力を受け、あらかじめ設定されているレンジング領域を受信するまでの時間を計時する。【００５７】
タイマー部１０１ｅ３は、あらかじめ設定されているレンジング領域を受信するまでの時間の計時が終了したならば、マスク信号生成部１０１ｅ４へ計時終了信号を出力する。マスク信号生成部１０１ｅ４は、タイマー部１０１ｅ３から入力された計時終了信号を基に、レンジング時はＨ（オン）、それ以外はＬ（オフ）となるマスク信号を生成する。そして、マスク信号生成部１０１ｅ４は、ＯＲ部１０１ｅ２へマスク信号を出力する。【００５８】
ＯＲ部１０１ｅ２は、ラッチ部１０１ｅ１から入力されたリセット信号と、マスク信号生成部１０１ｅ４から入力されたマスク信号との論理和を取る論理ゲートである。ＯＲ部１０１ｅ２は、リセット信号と、マスク信号との論理和を取った結果を節電モードフラグとして節電制御部１０１ａ１へ出力する。ＯＲ部１０１ｅ２から出力される信号は節電モードフラグであり、データ通信領域ではパケット状態によって節電モードフラグをアクティブ・モード又はスリープ・モードの変更を行うが、レンジング領域では常にアクティブ・モードとする信号となる。【００５９】
［遅延部の回路例］
図１６−１は、遅延部１０１ｅ５の回路例を示す図である。遅延部１０１ｅ５は、反転ゲート１０１ｅ５ａ、抵抗１０１ｅ５ｂ、ダイオード１０１ｅ５ｃ、コンデンサ１０１ｅ５ｄ、反転ゲート１０１ｅ５ｅを含む。反転ゲート１０１ｅ５ａは、パケット監視部１０１ｆから入力された信号断検出信号を反転し、抵抗１０１ｅ５ｂへ出力する。抵抗１０１ｅ５ｂの信号出力先には、先ず、接地されているコンデンサが接続されている。次に、抵抗１０１ｅ５ｂの信号出力を抵抗１０１ｅ５ｂへループバックさせて入力するダイオード（整流子）１０１ｅ５ｃが接続されている。最後に、抵抗１０１ｅ５ｂの信号出力をさらに反転してラッチ部１０１ｅ１へ出力する反転ゲート１０１ｅ５ｅが接続されている。【００６０】
［遅延部のタイムチャート］
図１６−２は、図１６−１に示す遅延部１０１ｅ５の回路の（Ａ）〜（Ｄ）における信号状態を示すタイムチャートである。コンデンサ１０１ｅ５ｄのコンデンサ値を調整することにより、遅延量を可変することが可能である。また出力信号の立ち下りのみ遅延させ、立ち上がりは遅延させない。遅延時間はガードタイム時間（ＧＰＯＮでは２５〜３０ｎｓ）程度が望ましい。【００６１】
図１６−２に示すように、（Ａ）における信号は、信号断検出信号である。（Ｂ）における信号は、信号断検出信号を反転した信号である。（Ｃ）点における信号は、コンデンサ１０１ｅ５ｄの充電によって抵抗１０１ｅ５ｂによる電圧降下が徐々に打ち消され、徐々にエッジが立ち上がる信号である。（Ｄ）点における信号は、（Ｃ）点における信号がＨ（オン）になったときにはじめて（Ｃ）点における信号の反転信号を出力する。よって、信号断検出信号が入力されて（Ｃ）点における信号がＨ（オン）になるまで時間が、遅延部１０１ｅ５により遅延させられる遅延時間である。【００６２】
なお、パケット監視部１０１ｆから得られた信号断検出信号を遅延させる時間を規定する上述の所定条件は、コンデンサ１０１ｅ５ｄの充電が完了することである。【００６３】
［ラッチ回路部の回路例］
図１７は、ラッチ回路部１０１ｅ１の回路例を示す図である。ラッチ回路部１０１ｅ１は、ＭＡＣ部１０２からのリセット信号の入力を検出してラッチを行い、遅延部１０５ｅからの出力信号の入力によってリセット信号のラッチのリセットをおこなう。【００６４】
ラッチ回路部１０１ｅ１は、ＯＲ部１０１ｅ１ａ、ＯＲ部１０１ｅ１ｂ、ＡＮＤ部１０１ｅ１ｃを含む。ＯＲ部１０１ｅ１ａは、ＭＡＣ部１０２からのリセット信号の入力、及び、遅延部１０５ｅからの出力信号を入力とする論理和をＯＲ部１０１ｅ１ｂ及びＡＮＤ部１０１ｅ１ｃへ出力する。ＯＲ部１０１ｅ１ｂは、ＯＲ部１０１ｅ１ａ及びＡＮＤ部１０１ｅ１ｃの各出力を入力とする論理和を節電モードフラグ生成部１０１ｅのＯＲ部１０１ｅ２へ出力するとともにＡＮＤ部１０１ｅ１ｃへ出力する。【００６５】
ＡＮＤ部１０１ｅ１ｃは、ＯＲ部１０１ｅ１ａ及びＯＲ部１０１ｅ１ｂの出力を入力とする論理積をＯＲ部１０１ｅ１ｂへ出力する。以上の構成により、ラッチ回路部１０１ｅ１は、リセット信号又は遅延部１０１ｅ５の出力のいずれかがＨ（オン）である限り、その状態を保持して出力する。【００６６】
図１８は、パケット監視部１０１ｆを含む光トランシーバ部１０１Ａを示す図である。パケット監視部１０１ｆは、信号断検出部１０１ｆ１を含む。信号断検出部１０１ｆ１は、受信部１０１ｂのＰＤ／ＴＩＡ部１０１ｂ１から出力される電圧で示されるパケットの信号の入力を受け付ける。パケットの信号の入力の有無を検出し、節電モードフラグ生成部１０１ｅに通知する。【００６７】
［信号断検出部の回路例］
図１９は、信号断検出部１０１ｆ１の回路例を示す図である。信号断検出部１０１ｆ１は、入力信号を増幅するプリアンプであるＡＭＰ部１０１ｆ１ａ、ＡＭＰ部１０１ｆ１ａの出力のピークを検出するピーク検出部１０１ｆ１ｂ、ＡＭＰ部１０１ｆ１ａの出力のボトムを検出するボトム検出部１０１ｆ１ｃを含む。【００６８】
また、信号のＨ（オン）及びＬ（オフ）を識別するための電圧の閾値を格納する閾値格納部１０１ｆ１ｄと、ピーク検出部１０１ｆ１ｂの出力及びボトム検出部１０１ｆ１ｃの出力と、閾値格納部１０１ｆ１ｄの閾値の出力とを比較する比較器であるＣＭＰ部１０１ｆ１ｆを含む。また、ボトム検出部１０１ｆ１ｃの出力に閾値格納部１０１ｆ１ｄの閾値の出力を付加する付加部１０１ｆ１ｅを含む。【００６９】
ＣＭＰ部１０１ｆ１ｆは、ボトム検出部１０１ｆ１ｃの出力が閾値を上回っている場合、パケット有りの信号を出力する。また、ＣＭＰ部１０１ｆ１ｆは、ピーク検出部１０１ｆ１ｖの出力が閾値を下回っている場合、パケット無しの信号（信号断検出信号）を出力する。【００７０】
すなわち、ＰＤ／ＴＩＡ部１０１ｂ１のプリアンプ出力信号のマーク側及びスペース側をそれぞれ検出するピーク検出部１０１ｆ１ｂ及びボトム検出部１０１ｆ１ｃを含み、予め設定するパケット有無を判別する閾値を越えたときにパケット有りをアサート（有効化）する。パケット信号がなくなった場合はデアサート（無効化）する。信号断検出部１０１ｆ１の出力信号は、アナログ信号であってもデジタル信号でもよい。また、信号断検出部１０１ｆ１の出力信号はシリアル信号であってもパラレル信号であってもよい。【００７１】
［ＰＤ／ＴＩＡ部、ＬＩＭ部、出力部の回路例］
なお、図１８に示すように、光トランシーバ部１０１Ａは、ＰＤ／ＴＩＡ部１０１ｂ１、リミッタアンプであるＬＩＭ部１０１ｂ２、出力部１０１ｂ３を含む。図２０は、ＰＤ／ＴＩＡ部１０１ｂ１の回路例を示す図である。ＰＤ／ＴＩＡ部１０１ｂ１は、光信号を受光して電気信号へ変換する光電素子であるＰＤ部１０１ｂ１ａ、ＰＤ部１０１ｂ１ａによって変換された電気信号を増幅して電流信号から電圧信号へ変換するＴＩＡ部１０１ｂを含む。【００７２】
図２１は、ＬＩＭ部１０１ｂ２の回路例を示す図である。ＬＩＭ部１０１ｂ２は、ＰＤ／ＴＩＡ部１０１ｂ１によって最終的に電圧信号へ変換された電気信号のピークを検出するピーク検出部１０１ｂ２ｂ、電気信号のボトムを検出するボトム検出部１０１ｂ２ｃ、ピーク検出部１０１ｂ２ｂのピーク出力を電圧降下させる抵抗１０１ｂ２ｄ、ボトム検出部１０１ｂ２ｃのボトム出力を電圧降下させる抵抗１０１ｂ２ｅを含む。また、ＰＤ／ＴＩＡ部１０１ｂ１によって入力された電圧信号、及び、抵抗１０１ｂ２ｄ及び抵抗１０１ｂ２ｅによって電圧降下されたピーク電圧信号及びボトム電圧信号を入力とし、両者をそれぞれ増幅して出力する増幅器であるＡＭＰ部１０１ｂ２ａを含む。【００７３】
図２２は、出力部１０１ｂ３の回路例を示す図である。出力部１０１ｂ３は、抵抗１０１ｂ３ａ、抵抗１０１ｂ３ｂ、トランジスタ１０１ｂ３ｃ、トランジスタ１０１ｂ３ｄを含む。トランジスタ１０１ｂ３ｃは、ＰＤ／ＴＩＡ部１０１ｂ１から出力されＬＩＭ部１０１ｂ２によってダイレクトに増幅された直接電圧信号をベース信号とする。また、トランジスタ１０１ｂ３ｄは、ＬＩＭ部１０１ｂ２によって増幅されたピーク電圧信号及びボトム電圧信号をベース信号とする。トランジスタ１０１ｂ３ｃ及びトランジスタ１０１ｂ３ｄはコレクタ端子同士が接続されている。これにより、直接電圧信号と、ピーク電圧信号及びボトム電圧信号との間にわずかでも電流差があれば、直接電圧信号、及び、ピーク電圧信号及びボトム電圧信号は各コレクタ端子から大きな電流を出力することができる。【００７４】
［節電制御部の詳細構成］
図２３は、節電制御部１０１ａ１の詳細構成を示す図である。節電制御部１０１ａ１は、節電モードフラグ生成部１０１ｅによって生成され出力された制御信号（節電モードフラグ）に基づいて受信部１０１ｂの電源のオン、オフを制御する。節電制御部１０１ａ１は、電源部１０１ａ１ａ及びスイッチ機能部１０１ａ１ｂを含む。電源部１０１ａ１ａは、受信部１０１ｂへ電力を供給する電源である。スイッチ機能部１０１ａ１ｂは、電源部１０１ａ１ａから供給される電力をオン、オフする。なお、電源をオン、オフする対象は全ての受信部の機能ブロックでなく、特定の機能ブロックでもよい。【００７５】
［開示の技術の応用例］
図２４は、開示の技術の応用例に係るＯＬＴ装置１００ａ２の構成を示すブロック図である。応用例では、実施例に係るＭＡＣ部１０２からのリセット信号の代替として光強度検出部１０１ｈを備える。【００７６】
［開示の技術の応用例に係る光強度検出部の詳細構成］
図２５は、開示の技術の応用例に係る光強度検出部の詳細構成を示すブロック図である。光強度検出部１０１ｈは、電流モニタ部１０１ｈ１、比較部１０１ｈ２、パルス生成部１０１ｈ３、閾値格納部１０１ｈ４を含む。【００７７】
電流モニタ部１０１ｈ１は、ＡＰＤ（Avalanche  Photo  Diode）電流値を検出する。ＡＰＤ電流は光強度に応じて電流値が増加する。比較部１０１ｈ２は、ＡＰＤ電流値と、閾値格納部１０１ｈ４に格納される予め設定された閾値とを比較する。比較の結果、ＡＰＤ電流値が閾値を超えたときアサート（有効化）され、パルス生成部１０１ｈ３にて生成されたパルスが出力される。パルスは、節電モードフラグ生成部１０１ｅにおいてラッチ部１０１ｅ１の入力信号となる。この応用例を用いることによって、ＭＡＣ部１０２からリセット信号が得られないシステムにおいても、開示の技術を適用することが可能となる。【００７８】
［実施例及び応用例に係る節電制御処理を示すタイムチャート］
図２６は、実施例及び応用例に係る節電制御処理を示すタイムチャートを示す。横軸は一つの遅延測定フレームの時間軸を表す。遅延測定フレームはデータ通信領域とレンジング領域に分けられている。【００７９】
図２６において、（１）は、ＯＮＴ装置２００ａｉからＯＬＴ装置１００へ送信されるパケット信号を示している。（２）は、リセット信号（または、ＡＰＤ電流値）を示している。リセット信号は各パケットの直前に入力される。（３）は、信号断検出部１０１ｆ１の出力を示している。（３）は、（１）の入力信号を基に、予め設定されているパケット有無を判別する閾値を越えたときにアサート（有効化）する。パケット信号がなくなった場合はデアサート（無効化）する。【００８０】
（４）は、遅延部１０１ｅ５の出力信号を示している。（３）の出力信号の立下りをある一定時間（ガードタイム時間程度）遅延させている。（５）は、ラッチ部１０１ｅ１の出力を示している。（２）のリセット信号の立ち上がりを検出してラッチし、（４）の遅延部１０１ｅ５の出力信号の立下りを検出しラッチを解除している。【００８１】
（６）は、マスク信号生成部１０１ｅ４からの出力信号を示している。遅延測定フレーム内のレンジング領域のみ「Ｈ」、その他は「Ｌ」となっている。（７）は、節電モードフラグの出力信号を示している。（５）と（６）の信号の論理和となる。（８）は、節電制御部１０１ａ１内のスイッチ機能部１０１ａ１ｂの出力のタイムチャートである。（７）の節電モードフラグと信号と同じタイミングとなる。【００８２】
（９）は、ＯＬＴ装置１００ａ及びＯＬＴ装置１００ａ２の消費電力を示している。（８）のスイッチ機能部１０１ａ１ｂのスイッチオフ時に、受信部１０１ｂのブロックの電源がオフとなるため、消費電力が減少する。すなわち、データ通信領域において、パケットの有無に応じて消費電力を抑制することができる。なお、レンジング領域では、節電モードフラグは常に「Ｈ」となるため、スイッチ機能部１０１ａ１ｂのスイッチは常にオンになる。【００８３】
上述したように、実施例及び応用例によれば、ＰＯＮシステムのＯＮＴ装置２００ａｉの増減に伴うリアルタイムなパケットの増減に追随し、かつ、ＰＯＮシステム特有のレンジング時にも適用可能な省電力方法を適用可能となる。また、省電力化を図ることにより、発熱量を削減することが可能となるとともに、ＯＬＴ装置の集積度向上、すなわち、ＯＬＴ装置１００ａ及びＯＬＴ装置１００ａ２が収容するＯＮＴ装置２００ａｉの数の向上が可能となる。すなわち、光通信ネットワークの状況に応じてＯＬＴ装置１００ａ及びＯＬＴ装置１００ａ２の回路ブロックの電源をリアルタイムに制御することが可能になる。【００８４】
実施例及び応用例は、主たる終端装置であるＯＮＴ装置との間でパケット送受信の遅延時間を「レンジング」と呼ばれる遅延時間測定若しくは「レンジング」と同一の技術思想に基づく遅延時間測定手法を用いる通信ネットワークの主たる終端装置であるＯＬＴ装置に広く適用可能である。【００８５】
以上、開示の技術の実施例を説明したが、開示の技術は、これに限られるものではなく、請求の範囲に記載した技術的思想の範囲内で、更に種々の異なる実施例で実施されてもよいものである。また、実施例に記載した効果は、これに限定されるものではない。【００８６】
また、上記実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記実施例で示した処理手順、制御手順、具体的名称、各種のデータやパラメータを含む情報については、特記する場合を除いて任意に変更することができる。【００８７】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【符号の説明】
【００８８】
１００、１００ａ、１００ａ２  ＯＬＴ装置
１０１、１０１Ａ、２０１Ａｉ（ｉ＝１、２、・・・、Ｎ）  光トランシーバ部
１０１ａ、１０１ａ１  節電制御部
１０１ａ１ａ  電源部
１０１ａ１ｂ  スイッチ機能部
１０１ｂ  受信部
１０１ｂ１  ＰＤ／ＴＩＡ部
１０１ｂ１ａ  ＰＤ部
１０１ｂ２  ＬＩＭ部
１０１ｂ２ａ  ＡＭＰ部
１０１ｂ２ｂ  ピーク検出部
１０１ｂ２ｃ  ボトム検出部
１０１ｂ２ｄ、１０１ｂ２ｅ  抵抗
１０１ｂ３  出力部
１０１ｂ３ａ、１０１ｂ３ｂ  抵抗
１０１ｂ３ｃ、１０１ｂ３ｄ  トランジスタ
１０１ｃ  パケット情報記憶部
１０１ｄ  タイマー部
１０１ｅ  節電モードフラグ生成部
１０１ｅ１  ラッチ部
１０１ｅ１ａ、１０１ｅ１ｂ  ＯＲ部
１０１ｅ１ｃ  ＡＮＤ部
１０１ｅ２  ＯＲ部
１０１ｅ３  タイマー部
１０１ｅ４  マスク信号生成部
１０１ｅ５  遅延部
１０１ｅ５ａ、１０１ｅ５ｅ  反転ゲート
１０１ｅ５ｂ  抵抗
１０１ｅ５ｃ  ダイオード
１０１ｅ５ｄ  コンデンサ
１０１ｆ  パケット監視部
１０１ｆ１  信号断検出部
１０１ｆ１ａ  ＡＭＰ部
１０１ｆ１ｂ  ピーク検出部
１０１ｆ１ｃ  ボトム検出部
１０１ｆ１ｄ、１０１ｈ４  閾値格納部
１０１ｆ１ｅ  付加部
１０１ｆ１ｆ  ＣＭＰ部
１０１ｇ  パターン識別部
１０１ｈ  光強度検出部
１０１ｈ１  電流モニタ部
１０１ｈ２  比較部
１０１ｈ３  パルス生成部
１０２  ＭＡＣ部
１０１ｆ１  信号断検出部
１０１ｈ４  閾値格納部
２００ａｉ（ｉ＝１、２、・・・、Ｎ）  ＯＮＴ装置
Ｓ  ＰＯＮシステム
ＳＣ  スターカプラ
【図１】
2010146665.tif 000003
【図２】
2010146665.tif 000004
【図３】
2010146665.tif 000005
【図４】
2010146665.tif 000006
【図５−１】
2010146665.tif 000007
【図５−２】
2010146665.tif 000008
【図６】
2010146665.tif 000009
【図７】
2010146665.tif 000010
【図８】
2010146665.tif 000011
【図９】
2010146665.tif 000012
【図１０】
2010146665.tif 000013
【図１１】
2010146665.tif 000014
【図１２】
2010146665.tif 000015
【図１３】
2010146665.tif 000016
【図１４】
2010146665.tif 000017
【図１５】
2010146665.tif 000018
【図１６−１】
2010146665.tif 000019
【図１６−２】
2010146665.tif 000020
【図１７】
2010146665.tif 000021
【図１８】
2010146665.tif 000022
【図１９】
2010146665.tif 000023
【図２０】
2010146665.tif 000024
【図２１】
2010146665.tif 000025
【図２２】
2010146665.tif 000026
【図２３】
2010146665.tif 000027
【図２４】
2010146665.tif 000028
【図２５】
2010146665.tif 000029
【図２６】
2010146665.tif 000030
【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
複数の加入者側光通信装置に接続され、双方向の通信を行う光通信システムにおける事業者側の光通信装置において、
前記加入者側光通信装置から送信されるパケットの有無を監視するパケット監視部と、
前記パケット監視部によって監視される前記パケットの有無に基づき自装置の節電モードフラグを生成する節電モードフラグ生成部と、
前記節電モードフラグ生成部によって生成された前記節電モードフラグに基づき自装置の節電制御を行う節電制御部と
を備えたことを特徴とする光通信装置。
【請求項２】
前記加入者側光通信装置から送出されるパケットを遅延測定パケットと前記遅延測定パケット以外のパケットとに識別するパケット識別部を備え、
前記節電モードフラグ生成部は、前記パケット識別部によって前記加入者側光通信装置から送出されるパケットが遅延測定パケットであると識別された場合、前記節電制御部が節電制御を行わない節電モードフラグを生成することを特徴とする請求項１記載の光通信装置。
【請求項３】
前記パケット監視部は、監視するパケットの振幅に応じてパケットの有無を判定し、前記パケットが無しと判定する場合、前記節電モードフラグ生成部に対して信号断検出信号を出力する信号断検出部を含むことを特徴とする請求項１記載の光通信装置。
【請求項４】
前記節電モードフラグ生成部は、前記パケット監視部によって出力される前記信号断検出信号、及び、外部より入力される前記パケットを受信する自装置の受信部を初期化する初期化信号に基づき前記節電モードフラグを生成することを特徴とする請求項１記載の光通信装置。
【請求項５】
前記加入者側光通信装置から送信されるパケットの受光電力に対応する電流信号を検出する光強度検出部を備え、
前記節電モードフラグ生成部は、前記パケット監視部によって出力される前記信号断検出信号、及び、前記光強度検出部によって検出された前記電流信号に基づいて前記節電モードフラグを生成することを特徴とする請求項１記載の光通信装置。
【請求項６】
複数の加入者側光通信装置に接続され、双方向の通信を行う光通信システムにおける事業者側の光通信装置における節電制御方法において、
前記加入者側光通信装置から送信されるパケットの有無を監視するパケット監視ステップと、
前記パケット監視ステップによって監視される前記パケットの有無に基づき自装置の節電モードフラグを生成する節電モードフラグ生成ステップと、
前記節電モードフラグ生成ステップによって生成された前記節電モードフラグに基づき自装置の節電制御を行う節電制御ステップと
を含むことを特徴とする節電制御方法。
【請求項７】
前記加入者側光通信装置から送出されるパケットを遅延測定パケットと前記遅延測定パケット以外のパケットとに識別するパケット識別ステップを含み、
前記節電モードフラグ生成ステップは、前記パケット識別ステップによって前記加入者側光通信装置から送出されるパケットが遅延測定パケットであると識別された場合、前記節電制御ステップが節電制御を行わない節電モードフラグを生成することを特徴とする請求項６記載の節電制御方法。
【請求項８】
前記パケット監視ステップは、監視するパケットの振幅に応じてパケットの有無を判定し、前記パケットが無しと判定する場合、前記節電モードフラグ生成ステップに対して信号断検出信号を出力する信号断検出ステップを含むことを特徴とする請求項６記載の節電制御方法。
【請求項９】
前記節電モードフラグ生成ステップは、前記パケット監視ステップによって出力される前記信号断検出信号、及び、外部より入力される前記パケットを受信する自装置の受信部を初期化する初期化信号に基づき前記節電モードフラグを生成することを特徴とする請求項６記載の節電制御方法。
【請求項１０】
前記加入者側光通信装置から送信されるパケットの受光電力に対応する電流信号を検出する光強度検出ステップを含み、
前記節電モードフラグ生成ステップは、前記パケット監視ステップによって出力される前記信号断検出信号、及び、前記光強度検出ステップによって検出された前記電流信号に基づいて前記節電モードフラグを生成することを特徴とする請求項６記載の節電制御方法。
【国際調査報告】
2010146665.tif 000031
2010146665.tif 000032